(57)【要約】【課題】ヘッドセットなどの音声入出力装置において、発声音を明瞭に認識し、正確な音声入力を行う。【解決手段】カットモードの選択状態で、音声入力部３５により音声が入力されると、入力音声の音量の基準値と、該音声入力部３５により入力した音声の音量の値とを比較し、音声入力部３５により入力した音声の音量の値が基準値を上回っているか否かを判別する。入力した音声の音量の値が基準値を上回っていると判別された場合には、音量調節部３６ａにより再生音の音量を、音量調節ボタンにより設定された音量に関係なくゼロに設定する。そして、音声の入力が終了した場合には、再生音の音量を元の音量に設定する。これにより発声動作への悪影響を防止する。【選択図】    図３
2004235979.tif 000002
【特許請求の範囲】
【請求項１】
再生用の音を取得する再生音取得手段と、
この再生音取得手段により取得された音を再生する音再生手段と、
音声を入力する音声入力手段と、
この音声入力手段により音声が入力された際、前記音再生手段により再生される音の特性を調節する再生音調節手段と
を備えたことを特徴とする音入出力装置。
【請求項２】
前記再生音調節手段は、スイッチ手段を備え、このスイッチ手段が操作された場合に前記音の特性を調節することを特徴とする請求項１に記載の音入出力装置。
【請求項３】
前記音声入力手段による音声の入力を検出する検出手段を備え、
前記再生音調節手段は、前記検出手段により音声の入力を検出した場合に、前記音再生手段により再生される音の特性を調節することを特徴とする請求項１に記載の音入出力装置。
【請求項４】
さらに、音声の音量の基準値を記憶する基準値記憶手段と、前記音声入力手段により入力した音声の音量が前記基準値記憶手段に記憶される基準値と比較して大きいか否かを判別する判別手段とを備え、
前記検出手段は、前記判別手段において、前記音声入力手段により入力された音声の音量が前記基準値と比較して大きいと判別された場合に前記音声の入力を検出する
ことを特徴とする請求項３に記載の音入出力装置。
【請求項５】
前記再生音調節手段は、前記音再生手段により再生される音の音量を所定の音量に設定して音の特性を調節することを特徴とする請求項１乃至請求項４のいずれかに記載の音入出力装置。
【請求項６】
前記再生音調節手段は、前記音再生手段により再生される音の音量をゼロに設定して音の特性を調節することを特徴とする請求項１乃至請求項４のいずれかに記載の音入出力装置。
【請求項７】
前記再生音調節手段は、前記音再生手段により再生される音について、所定の周波数帯域の成分を減衰させて音の特性を調節することを特徴とする請求項１乃至請求項４のいずれかに記載の音入出力装置。
【請求項８】
前記再生音調節手段は、前記音再生手段により再生される音について、可聴周波数帯域の成分を減衰させて音の特性を調節することを特徴とする請求項１乃至請求項４のいずれかに記載の音入出力装置。
【請求項９】
前記再生音調節手段は、前記音再生手段により再生される音について、音韻情報が含まれる周波数帯域の成分を減衰させて音の特性を調節することを特徴とする請求項１乃至請求項４のいずれかに記載の音入出力装置。
【請求項１０】
再生用の音を取得する再生音取得ステップと、
この再生音取得ステップにて取得された音を再生する音再生ステップと、
音声を入力する音声入力ステップと、
この音声入力ステップにて音声が入力された際、前記音再生ステップにて再生される音の特性を調節する再生音調節ステップと
からなることを特徴とする音入出力方法。
【発明の詳細な説明】
【０００１】
【発明の属する技術分野】
本発明は、例えば、音楽再生や音声入力を行うための音入出力装置および音入出力方法に関する。
【０００２】
【従来の技術】
従来のヘッドフォンには、スピーカにより再生される音を聴取しながら、聴取者が発する音声を入力するマイクロフォン（以下、マイクと称する）を備えたマイク付きヘッドフォン（以下、ヘッドセットと称する）が存在する（例えば、特許文献１参照）。
【０００３】
【特許文献１】
特開２００２−１１２３８３号公報（第５頁、第３図）
図１０は、従来のヘッドセット４１、このヘッドセット４１に接続されるパーソナルコンピュータ４２およびコンパクトディスクプレーヤ４３を示す図である。
図１０に示すように、ヘッドセット４１は、右ヘッドフォン４１ａ、左ヘッドフォン４１ｂおよびマイク４１ｃを備える。ヘッドセット４１には、パーソナルコンピュータ４２およびコンパクトディスクプレーヤ（以下、ＣＤプレーヤと称する）４３をそれぞれ接続する。ＣＤプレーヤ４３は、図示しないＣＤを入れて使用する。ＣＤプレーヤ４３は、ヘッドセット４１により再生させる音の音源である。パーソナルコンピュータ４２は、ヘッドセット４１のマイク４１ｃにより入力した音声を記録するために用いる。
【０００４】
【発明が解決しようとする課題】
しかしながら、上記の手法では次のような問題があった。ヘッドセット４１を頭部に装着した状態で右ヘッドフォン４１ａおよび左ヘッドフォン４１ｂにより再生音を聴取しながら、マイク４１ｃで音声入力を行う場合、右ヘッドフォン４１ａおよび左ヘッドフォン４１ｂの再生音の音質や音量は、マイク４１ｃを用いて音声入力を行っているか否かによらず変化しない。このような状況では、再生音が例えば高周波成分を多く含む音であるような場合に、マイク４１ｃによる発話時には右ヘッドフォン４１ａおよび左ヘッドフォン４１ｂによる再生音が一種の騒音としてユーザに作用する。すると、ユーザは自己の発声動作が正常になされているか否かを明瞭に認識できなくなる場合がある。この結果、ユーザによる発声レベルが大きくなる、発話速度が増す、または発話ピッチが上昇するなどの悪影響が生ずる。また、ヘッドセット４１が、マイク４１ｃにより入力した音声を、例えば再生および停止などを実行するための制御用コマンドとして認識する音声コマンド認識機能を有したヘッドセットである場合には、上記説明した悪影響により音声コマンドの認識が正常に行われなくなり、所望の動作が実行されない、あるいは誤動作の原因となる問題があった。
【０００５】
本発明は、上記の問題を解決するためになされたものであり、発声音を明瞭に認識し、正確な音声入力を行うことが可能になる音入出力装置および音入出力方法を提供することを目的とする。
【０００６】
【課題を解決するための手段】
前記目的を達成するため、本発明の請求項１に係る音入出力装置は、再生用の音を取得する再生音取得手段と、この再生音取得手段により取得された音を再生する音再生手段と、音声を入力する音声入力手段と、この音声入力手段により音声が入力された際、前記音再生手段により再生される音の特性を調節する再生音調節手段とを備えたことを特徴とする。
【０００７】
このような構成とすれば、再生音取得手段により再生用の音を取得した後に、音再生手段により再生される音の特性を調節することで、音声入力手段に入力する発声音を明瞭に認識させることができる。
【０００８】
また、本発明の請求項２に係る音入出力装置は、請求項１に記載の音入出力装置であって、前記再生音調節手段は、スイッチ手段を備え、このスイッチ手段が操作された場合に前記音の特性を調節することを特徴とする。
【０００９】
このような構成とすれば、スイッチ手段を押下した場合に音再生手段により再生される音の特性を調節することで、音声入力手段に入力する発声音を、必要時には明瞭に認識させることができる。
【００１０】
また、本発明の請求項３に係る音入出力装置は、請求項１に記載の音入出力装置であって、前記音声入力手段による音声の入力を検出する検出手段を備え、前記再生音調節手段は、前記検出手段により音声の入力を検出した場合に、前記音再生手段により再生される音の特性を調節することを特徴とする。
【００１１】
このような構成とすれば、検出手段により音声の入力を検出した場合に、音再生手段により再生される音の特性を調節することで、音声入力手段に入力する発声音を、該音声入力時においても明瞭に認識させることができる。
【００１２】
また、本発明の請求項４に係る音入出力装置は、請求項３に記載の音入出力装置であって、さらに、音声の音量の基準値を記憶する基準値記憶手段と、前記音声入力手段により入力した音声の音量が前記基準値記憶手段に記憶される基準値と比較して大きいか否かを判別する判別手段とを備え、前記検出手段は、前記判別手段において、前記音声入力手段により入力された音声の音量が前記基準値と比較して大きいと判別された場合に前記音声の入力を検出することを特徴とする。
【００１３】
このような構成とすれば、音声入力手段により入力された音声の音量が基準値と比較して大きいと判別された場合に音再生手段により再生される音の特性を調節するので、音声入力手段に入力する発声音を、一定以上の音量の音声入力時においても明瞭に認識させることができる。
【００１４】
【発明の実施の形態】
以下本発明をマイクロフォン付きのヘッドフォン（以下、ヘッドセットと称する）に適用した場合の実施形態について図面を参照して説明する。
図１は、本発明の実施形態に係わるヘッドセット１およびパーソナルコンピュータ２の外観図である。
図１に示したように、本実施形態のヘッドセット１には、右ヘッドフォン１ａ、左ヘッドフォン１ｂおよびマイクロフォン（以下、マイクと称する）１ｃが設けられる。マイク１ｃは、例えば半円リング状のアームを介在して左ヘッドフォン１ｂに取り付けられる。
【００１５】
ヘッドセット１は、音のデータ（以下、サウンドデータと称する）をパーソナルコンピュータ２より取得して、これを右ヘッドフォン１ａおよび左ヘッドフォン１ｂにより再生する。また、ヘッドセット１は、ユーザが発した音声をマイク１ｃにより入力して、別途図示しない通信機器を介在して相手方と通話する機能を設けている。また、ヘッドセット１は、上記示した通話機能とは別に音声コマンド認識機能を搭載している。この音声コマンド認識機能は、ユーザが発した音声をマイク１ｃによりヘッドセット１の制御用コマンドとして認識して、この認識した制御用コマンドにしたがってヘッドセット１を制御する。制御用コマンドとは、例えば再生、停止、早送り、巻き戻し、曲選択、音量調節などの実行を指示するコマンドである。つまり、ユーザが「再生」と発声すると、この発声音をヘッドセット１が再生を指示する制御用コマンドとして認識して、再生を実行する。
【００１６】
加えて、ヘッドセット１は、マイク１ｃによる音声入力がなされた場合、またはマイク１ｃにより音声を入力する際に、後述するトリガスイッチを押下することで、右ヘッドフォン１ａおよび左ヘッドフォン１ｂによる再生音の特性を調節する（以下、再生音調節処理と称する）機能を有する。再生音の特性とは、例えば、再生音の音量および周波数特性である。再生音の特性を調節することで、ユーザに対して、自己の発声音を明瞭に認識させてマイク１ｃによる正確な音声入力ができるようにする。
【００１７】
パーソナルコンピュータ２には、図示しないハードディスクドライブ（ＨＤＤ）が備えられる。ＨＤＤには、ソフトウェアとは別に、例えば音楽などのサウンドデータが記憶される。パーソナルコンピュータ２は、内蔵の通信モジュールにより、ＨＤＤに記憶されるサウンドデータを無線通信によりヘッドセット１に送信する。
ヘッドセット１は、パーソナルコンピュータ２により送信されたサウンドデータを受信する。ヘッドセット１は、受信したサウンドデータを右ヘッドフォン１ａおよび左ヘッドフォン１ｂにより再生する。
【００１８】
図２は、図１に示したヘッドセット１の右ヘッドフォン１ａの外観構成を示す図である。
図２に示すように、右ヘッドフォン１ａには、スピーカ１ｄ、再生ボタン１ｅ、停止ボタン１ｆおよび音量調節ボタン１ｇ，１ｈが設けられる。スピーカ１ｄは左ヘッドフォン１ｂにも設けられる。左ヘッドフォン１ｂに設けられるスピーカ１ｄについては図示しない。音量調節ボタン１ｇを押下するとスピーカ１ｄにより再生する音の音量が増大し、音量調節ボタン１ｈを押下するとスピーカ１ｄにより再生する音の音量が減少する。右ヘッドフォン１ａには、その他の操作、例えば、早送り、巻き戻し、曲選択などの操作を実行するためのボタンが設けられる。これらのボタンについては図示しない。再生ボタン１ｅ、停止ボタン１ｆ、音量調節ボタン１ｇ，１ｈおよびその他の操作ボタンを設ける場所は特に限定されるものではなく、例えば、左ヘッドフォン１ｂに設けてもよい。
【００１９】
なお、サウンドデータをヘッドセット１に送信するためにパーソナルコンピュータ２に内蔵される通信モジュールは、無線通信用の通信モジュールに限らず、通信ケーブルを介在した有線通信用の通信モジュールを用いても差し支えない。また、右ヘッドフォン１ａおよび左ヘッドフォン１ｂにより再生するためのサウンドデータは、有線または無線通信によりパーソナルコンピュータ２より取得するのではなく、ヘッドセット１に、図示しない音楽蓄積メディアを内蔵し、この音楽蓄積メディアにサウンドデータを記憶させて再生する形態としてもよい。
【００２０】
図３は、図１に示したヘッドセット１の内部の回路構成を示す図である。
図３では、ヘッドセット１の内部の回路において、本発明の実施形態に関連する部分のみについて図示する。図３に示すように、ヘッドセット１の内部には、各種制御を司る制御部３１を設ける。制御部３１の内部には、各種処理用の制御プログラムを記憶するレジスタ３１ａが設けられる。制御部３１には、パーソナルコンピュータ２とサウンドデータの送受信をする通信モジュール３２、トリガスイッチ３３、モード選択スイッチ３４、音声入力部３５、再生音調節部３６および記憶部３７が接続される。ヘッドセット１は、パーソナルコンピュータ２から受信したサウンドデータを記憶部３７に格納し、この格納したサウンドデータを音声出力部３８により再生する。
【００２１】
音声入力部３５は、図１に示したマイク１ｃおよびＡ／Ｄ変換アンプ回路３５ａなどにより構成される。Ａ／Ｄ変換アンプ回路３５ａはマイク１ｃにより入力した音声をデジタル化する。再生音調節部３６には音声出力部３８が接続される。音声出力部３８は、図１に示した右ヘッドフォン１ａおよび左ヘッドフォン１ｂに設けられるスピーカ１ｄ、およびサウンドデータをアナログ化するＤ／Ａ変換アンプ回路３８ａなどにより構成される。
【００２２】
制御部３１は、音声入力部３５により音声の入力がなされたことを検出する機能を備えている。音声の入力の検出は、例えば、入力した音声の音量と所定の基準値とを比較して、入力音声の音量が基準値より大きいと判別することにより実現される。
【００２３】
再生音調節部３６には、音量調節部３６ａおよび周波数特性調節部３６ｂが設けられる。この再生音調節部３６は、トリガスイッチ３３の押下、または音声入力部３５による音声入力にしたがって、音声出力部３８により再生する音の特性を調節する。具体的には、再生音調節部３６は、音声出力部３８により再生する音の音量を音量調節部３６ａにより調節し、また、音声出力部３８により再生する音の周波数特性を周波数特性調節部３６ｂにより調節する。
【００２４】
モード選択スイッチ３４は、後述するカットモードまたはダウンモードのうちいずれかを選択する。また、カットモードまたはダウンモードの選択とは独立して、後述するスイッチ／マイクモードまたはスイッチモードのうちいずれかを選択する。
スイッチ／マイクモードとは、トリガスイッチ３３を押下した場合または所定音量以上の音声が音声入力部３５により入力されたことが検出された場合に、再生音の特性を調節するモードである。スイッチモードとは、トリガスイッチ３３を押下した場合のみに再生音の特性を調節するモードである。
【００２５】
また、カットモードとは、スイッチモードの選択状態でトリガスイッチ３３を押下した場合またはスイッチ／マイクモードの選択状態でトリガスイッチ３３を押下した場合もしくは所定音量以上の音声が音声入力部３５により入力されたことが検出された場合に、再生音の音量をゼロに設定するモードである。ダウンモードとは、スイッチモードの選択状態でトリガスイッチ３３を押下した場合またはスイッチ／マイクモードの選択状態でトリガスイッチ３３を押下した場合もしくは所定音量以上の音声が音声入力部３５により入力されたことが検出された場合に、再生音の音量を所定の音量に設定し、当該再生音の周波数特性を調節するモードである。周波数特性の調節は、例えば周波数特性調節部３６ｂにフィルタ（ろ波器）を設けることで実現される。
【００２６】
スイッチ／マイクモードにおける、所定音量以上の音声の入力の検出に係る処理は、例えば、次のような方法で実現される。まず、制御部３１のレジスタ３１ａに、音声の音量の基準値情報を記憶させ、この基準値と音声入力部３５により入力された音声の音量の値とを比較する。そして、音声入力部３５により入力した音声の音量（以下、入力音量と称する）の値が基準値を上回ったか否かを判別する判別用のプログラムをレジスタ３１ａに記憶し、この判別用のプログラムを読み出して実行して、入力音量の値が基準値を上回った場合に再生音調節部３６に対して再生音の調節を指示する。
【００２７】
次に、本実施形態のヘッドセット１による再生音調節処理について説明する。再生音調節処理は、再生音調節処理用の制御プログラムを、例えば制御部３１のレジスタ３１ａに記憶し、これを読み出して実行することで実現される。
【００２８】
図４は、図１に示したヘッドセット１が実行する再生音調節処理の内容を示すフローチャートである。
ユーザは、先立ってモード選択スイッチ３４によりスイッチ／マイクモードまたはスイッチモードのうちいずれかを選択する。スイッチ／マイクモードは、例えば、ユーザが音声入力部３５により通話用または制御用コマンドの音声を入力すると同時に再生音の特性を調節する場合に選択するのが望ましい。スイッチモードは、例えば、周囲の騒音または雑音が大きく、音声入力部３５による音声入力とは無関係に再生音の特性を調節する場合に選択するのが望ましい。
【００２９】
ここで、ヘッドセット１は、パーソナルコンピュータ２により送信されたサウンドデータを無線モジュール３２により受信し、このサウンドデータに基づいて、音を音声出力部３８により再生していると仮定する。また、トリガスイッチ３３はＯＦＦ状態に設定されていると仮定する。次に、モード選択スイッチ３４を押下して、カットモードを選択する（ステップＳ３のＹＥＳ）。
【００３０】
ここで、図４に示したステップＳ４のトリガ判別処理について説明する。
図５は、再生音調節処理で実行するトリガ判別処理の内容を示すフローチャートである。
トリガ判別処理とは、スイッチモードにおいてトリガスイッチ３３が押下されたか否か、またはスイッチ／マイクモードにおいてトリガスイッチ３３が押下されたか、もしくは所定音量以上の音声が音声入力部３５により入力されたか否かを判別してトリガ駆動制御信号を出力する処理である。図５に示したＳ４６の処理は、図４に示したステップＳ４において「ＹＥＳ」と判別する処理と同じである。
【００３１】
まず、トリガスイッチ３３が押下されてＯＮ状態に設定された場合（トリガＯＮ状態と称する）には、制御部３１は、スイッチモードまたはスイッチ／マイクモードのいずれに設定された場合でも再生音調節部３６に駆動制御信号を出力する（ステップＳ４１→Ｓ４６）。駆動制御信号は、再生音調節部３６による再生音の調節を制御部３１に指示する信号である。
【００３２】
トリガスイッチ３３が押下されない場合に、現在のモードがスイッチモードに設定されている場合には、ステップＳ４１からの処理に戻る。一方、現在のモードがスイッチ／マイクモードに設定されている場合には、音声入力部３５により音声を入力する（ステップＳ４２→Ｓ４３）。
【００３３】
ここで、制御部３１は、あらかじめレジスタ３１ａに記憶される音声の音量の基準値と、音声入力部３５による入力した音声の音量の値とを比較して（ステップＳ４４）、入力音量の値が基準値を上回っているか否かを判別する（ステップＳ４５）。これにより入力音量の値が基準値を上回っていると判別された場合（トリガＯＮ状態と称する）には（ステップＳ４５のＹＥＳ）、制御部３１は、再生音調節部３６に駆動制御信号を出力する（ステップＳ４６）。以上でトリガ判別処理が終了する。
【００３４】
再生音調節部３６は、駆動制御信号を入力すると、音量調節部３６ａにより再生音の音量をゼロに設定する（ステップＳ５）。ステップＳ５に係る処理は、音量調節ボタン１ｇ，１ｈにより設定された音量に関係なく実行される。これにより音声出力部３８により音声が再生されなくなる。
【００３５】
そして、スイッチ／マイクモードにおいては、ユーザによる通話または制御用コマンドに係る音声の入力が終了した場合、つまり音声入力部３５により基準値以上の音量の音声の入力が終了して一定時間が経過した場合もしくはＯＮ状態に設定されたトリガスイッチ３３が再押下されてＯＦＦ状態に設定された場合、またはスイッチモードにおいては、ＯＮ状態に設定されたトリガスイッチ３３が再押下されてＯＦＦ状態に設定された場合には、制御部３１は、音量調節部３６ａにより、再生音の音量を元の音量に設定する（ステップＳ６→Ｓ７）。元の音量とは、音量調節ボタン１ｇ，１ｈにより設定された音量である。既に説明した判別用のプログラムは、音声の入力が終了して一定時間が経過したか否かを判別する機能を備えている。
【００３６】
図６は、再生音調節処理のカットモードを実行した場合の時間−音量を示すグラフである。
図６に示すように、音声入力部３５により所定音量以上の音声が入力されていない場合および、所定音量以上の音声の入力が終了して一定時間が経過した場合またはトリガスイッチ３３がＯＦＦ状態に設定されている場合（トリガＯＦＦ状態と称する）には、再生音の音量は、音量調節ボタン１ｇ，１ｈにより設定した音量（音量Ｖと称する）である。一方、トリガＯＮ状態と判別された場合には、音量がゼロに設定される。
【００３７】
このようにカットモードを実行することで、音声出力部３８により再生される音の音量がゼロになるので、音声出力部３８による再生音を気にすることなく、音声入力部３５による音声入力を正しく行うことができるようになる。
【００３８】
次に、ダウンモードを選択した場合の処理について図４を参照しながら説明する。
まず、モード選択スイッチ３４を押下して、ダウンモードを選択する（ステップＳ３→Ｓ８）。次に、ステップＳ４と同様の処理を行い、スイッチ／マイクモードにおいては、トリガスイッチ３３が押下されてＯＮ状態に設定された場合もしくは入力音量の値が基準値を上回っていると判別された場合、またはスイッチモードにおいては、トリガスイッチ３３が押下されてＯＮ状態に設定された場合には、制御部３１は、再生音調節部３６に駆動制御信号を出力する（ステップＳ９のＹＥＳ）。ステップＳ９により「ＹＥＳ」と判断する処理は、既に説明したステップＳ４６の処理と同様である。
【００３９】
再生音調節部３６は、駆動制御信号を入力すると、音量調節部３６ａにより再生音の音量を所定の音量に設定し、再生音の所定の周波数帯域に係る成分を減衰させる（ステップＳ１０）。ステップＳ１０に係る処理は、音量調節ボタン１ｇ，１ｈにより設定された音量に関係なく実行される。所定の音量とは、ユーザが音声入力部３５により音声入力を行う場合に発声音を明瞭に認識するのに支障をきたさない音量である。
【００４０】
所定の周波数帯域とは、再生音における音韻情報が含まれる周波数帯域（以下、音韻周波数帯域と称する）である。音韻周波数帯域の成分を減衰させることで、ユーザは、再生音の音韻情報を認識することができなくなる。音韻周波数帯域は、例えば２５０〜４０００［Ｈｚ］である。本実施形態では、周波数特性調節部３６ｂに、低域通過フィルタ（Ｌｏｗ  Ｐａｓｓ  Ｆｉｌｔｅｒ：ＬＰＦと称する）を設けている。このＬＰＦにより、音韻周波数帯域の下限周波数であるＦ［Ｈｚ］未満の周波数帯域の成分を通過させ、Ｆ［Ｈｚ］以上の周波数帯域の成分を減衰させる。
【００４１】
ここで、既に説明した音韻周波数帯域の全範囲の成分を減衰させるには、周波数特性調節部３６ｂに、音韻周波数帯域の成分を減衰させる帯域阻止フィルタ（Ｂａｎｄ  Ｅｌｉｍｉｎａｔｉｏｎ  Ｆｉｌｔｅｒ：ＢＥＦと称する）を設ければよい。
【００４２】
また、可聴周波数帯域の成分を減衰させるには、周波数特性調節部３６ｂに、可聴周波数帯域の成分を減衰させるＢＥＦを設ければよい。可聴周波数帯域は、例えば２０〜２００００［Ｈｚ］である。
【００４３】
そして、トリガＯＦＦ状態に移行したと判別された場合（ステップＳ１１のＹＥＳ）、制御部３１は、音量調節部３６ａにより、再生音の音量を元の音量に設定する。また、制御部３１は、全周波数帯域の成分の強度比を、ステップＳ１０による処理を実行する以前の状態に戻す（ステップＳ１２）。
【００４４】
図７は、再生音調節処理のダウンモードを実行した場合の時間−音量を示すグラフである。
図７に示すように、トリガＯＦＦ状態と判別された場合には、再生音の音量は、音量調節ボタン１ｇ，１ｈにより設定した音量（音量Ｖ）である。一方、トリガＯＮ状態と判別された場合には、音量は所定の音量（音量Ａ）に設定される。
【００４５】
図８は、再生音調節処理のダウンモードにおいて、トリガＯＦＦ状態と判別された場合の周波数−強度比を示すグラフである。
図９は、再生音調節処理のダウンモードにおいて、トリガＯＮ状態と判別された場合の周波数−強度比を示すグラフである。
図８および図９に示すように、ダウンモードを実行すると、再生音においてＦ［Ｈｚ］以上の周波数成分が減衰する。ただし、カットモードとは異なり、音声出力部３８により再生される音はゼロではなく音量Ａに設定されるので、音声出力部３８による再生音を聴取するとともに、発声音を明瞭に認識した上で音声入力部３５による音声入力を行うことができる。
【００４６】
なお、本実施形態において、ダウンモードを実行した場合には、音量調節部３６ａにより音量を調節し、周波数特性調節部３６ｂにより周波数特性を調節する構成としたが、これに限らず、例えば音量調節部３６ａまたは周波数特性調節部３６ｂのいずれか一方のみを用いて、再生音の特性を調節する構成としても良い。
【００４７】
このように、本実施形態によれば、トリガスイッチ３３の押下または、音声入力部３５による音声入力に連動して、再生音の音量または周波数特性を調節することになるので、ユーザは、再生音を気にとめることなく、正確な音声入力を行うことができるようになる。
【００４８】
本発明は前記実施形態に限定されるものではなく、実施段階ではその要旨を逸脱しない範囲で種々に変形することが可能である。更に、前記実施形態には、種々の段階の発明が含まれており、開示される複数の構成要件における適宣な組み合わせにより種々の発明が抽出され得る。例えば、前記実施形態で示される全構成要件から幾つかの構成要件が削除されても、「発明が解決しようとする課題」で述べた課題が解決でき、「発明の効果」の欄で述べられている効果が得られる場合には、この構成要件が削除された構成が発明として抽出されうる。
【００４９】
【発明の効果】
以上のように、本発明によれば、スイッチの押下または音声入力の検出にしたがって再生音の音量または周波数特性を調節するので、ユーザは、自己の発声音を明瞭に認識して正確な音声入力を行うことができるようになる。
【図面の簡単な説明】
【図１】本発明の実施形態に係わるヘッドセット１およびパーソナルコンピュータ２の外観図。
【図２】図１に示したヘッドセット１の右ヘッドフォン１ａの外観構成を示す図。
【図３】図１に示したヘッドセット１の内部の回路構成を示す図。
【図４】図１に示したヘッドセット１が実行する再生音調節処理の内容を示すフローチャート。
【図５】図５は、再生音調節処理で実行するトリガ判別処理の内容を示すフローチャート。
【図６】再生音調節処理のカットモードを実行した場合の時間−音量を示すのグラフ。
【図７】再生音調節処理のダウンモードを実行した場合の時間−音量を示すグラフ。
【図８】再生音調節処理のダウンモードにおいて、トリガＯＦＦ状態と判別された場合の周波数−強度比を示すグラフ。
【図９】再生音調節処理のダウンモードにおいて、トリガＯＮ状態と判別された場合の周波数−強度比を示すグラフ。
【図１０】従来のヘッドセット４１、このヘッドセット４１に接続されるパーソナルコンピュータ４２およびコンパクトディスクプレーヤ４３を示す図。
【符号の説明】
１・・・ヘッドセット１、２・・・パーソナルコンピュータ、１ａ・・・右ヘッドフォン、１ｂ・・・左ヘッドフォン、１ｃ・・・マイク、１ｄ・・・スピーカ、１ｅ・・・再生ボタン、１ｆ・・・停止ボタン、１ｇ，１ｈ・・・音量調節ボタン、３１・・・制御部、３１ａ・・・レジスタ、３２・・・通信モジュール、３３・・・トリガスイッチ、３４・・・モード選択スイッチ、３５・・・音声入力部、３５ａ・・・Ａ／Ｄ変換アンプ回路、３６・・・再生音調節部、３６ａ・・・音量調節部、３６ｂ・・・周波数特性調節部、３７・・・記憶部、３８・・・音声出力部、３８ａ・・・Ｄ／Ａ変換アンプ回路、４１・・・ヘッドセット、４１ａ・・・右ヘッドフォン、４１ｂ・・・左ヘッドフォン、４１ｃ・・・マイク、４２・・・パーソナルコンピュータ、４３・・・コンパクトディスクプレーヤ。
【図１】
2004235979.tif 000003
【図２】
2004235979.tif 000004
【図３】
2004235979.tif 000005
【図４】
2004235979.tif 000006
【図５】
2004235979.tif 000007
【図６】
2004235979.tif 000008
【図７】
2004235979.tif 000009
【図８】
2004235979.tif 000010
【図９】
2004235979.tif 000011
【図１０】
2004235979.tif 000012